(57)【要約】【課題】  飲料容器を安定した傾斜姿勢に保持することができ、飲料容器に注がれる飲料が飲料容器の背面に垂れ流れるの防止することができ、しかも、清掃などの保守が容易な飲料ディスペンサを提供する。【解決手段】  上部底受部６Ｂに載置したジョッキＪの背面上部を背受部材６Ｄに押し当てることにより、ジョッキＪは前後方向に位置決めされて安定した傾斜姿勢に保持される。そして、傾斜姿勢のジョッキＪにビールコック５Ａからビールを注ぐ際、ビールコック５Ａから飛散したりジョッキＪから溢れたビールは背受部材６Ｄからカバー部材６Ｅを伝って流下するため、ジョッキＪの背面にビールが垂れ流れるのが防止される。ここで、背受部材６Ｄはベース部材６Ａに着脱自在に係合して装着される構造とされているため、工具を使用することなく容易に脱着することができ、清掃などの保守作業が容易である。【選択図】  図４
2006036229.tif 000002
【特許請求の範囲】
【請求項１】
注出コックから飲料が注がれる飲料容器を傾斜姿勢に保持可能な容器載置台を備えた飲料ディスペンサであって、前記容器載置台は飲料容器の背面に沿うように上下方向に延設されて飲料容器の底受板を支持するベース部材を有し、このベース部材には飲料容器の背面上部が押し当てられる背受部材が着脱自在に係合して装着されていることを特徴とする飲料ディスペンサ。
【請求項２】
注出コックから飲料が注がれる飲料容器を傾斜姿勢に保持可能な容器載置台を備えた飲料ディスペンサであって、前記容器載置台は飲料容器の背面に沿うように上下方向に延設されて飲料容器の底受板を支持するベース部材を有し、このベース部材には飲料容器の背面上部が押し当てられる背受部材が付設され、この背受部材とベース部材との間にはベース部材の正面を覆うカバー部材が配設されており、前記背受部材の背面側には上下方向に延びるリブが前記カバー部材の挿入ガイドを兼用して突設されていることを特徴とする飲料ディスペンサ。
【発明の詳細な説明】
【技術分野】
【０００１】
本発明は、注出コックから所定の飲料を注ぎ出す飲料ディスペンサに関するものである。
【背景技術】
【０００２】
注出コックから所定の飲料を注ぎ出す飲料ディスペンサには、通常、飲料が注がれる飲料容器を支持する容器載置台が付設されている。この種の飲料ディスペンサとして、冷却したビールをジョッキ等の飲料容器に注ぐビールディスペンサには、飲料容器を後傾姿勢に保持可能な容器載置台が付設されており、ビールを泡立たないように斜め注ぎするように構成されている（例えば特許文献１、２参照）。
【特許文献１】特開平４−６０８３号公報
【特許文献２】特開２００２−２３４５９３号公報
【０００３】
ここで、飲料容器を後傾姿勢に保持可能な容器載置台は、飲料容器の背面に沿って上下方向に延設される背板と、この背板の下部に支持されて飲料容器の底を受ける底受板とを有する構造とされている。そして、この容器載置台は、背板と共に底受板が後傾することで飲料容器を後傾姿勢とし、この後傾した飲料容器の背面を背板が支持するように構成されている。
【発明の開示】
【発明が解決しようとする課題】
【０００４】
ところで、前述した容器載置台の背板は、後傾した飲料容器の背面を支持できるものの、飲料容器を安定した傾斜姿勢に保持するには難点がある。また、注出コックから飛散したり飲料容器から溢れたビール等の飲料が飲料容器の背面に沿って垂れ流れるのを防止することができない。
【０００５】
そこで、本発明は、飲料容器を安定した傾斜姿勢に保持することができ、飲料容器に注がれる飲料が飲料容器の背面に垂れ流れるの防止することができ、しかも、清掃などの保守作業が容易な飲料ディスペンサを提供することを課題とする。
【課題を解決するための手段】
【０００６】
第１の発明に係る飲料ディスペンサは、注出コックから飲料が注がれる飲料容器を傾斜姿勢に保持可能な容器載置台を備えた飲料ディスペンサであって、容器載置台は飲料容器の背面に沿うように上下方向に延設されて飲料容器の底受板を支持するベース部材を有し、このベース部材には飲料容器の背面上部が押し当てられる背受部材が着脱自在に係合して装着されていることを特徴とする。
【０００７】
第１の発明に係る飲料ディスペンサでは、容器載置台に飲料容器を載置する際、飲料容器の背面上部を背受部材に押し当てることで飲料容器が前後方向に位置決めされるため、飲料容器を傾斜姿勢に保持する際には、飲料容器が安定した傾斜姿勢に保持される。そして、傾斜姿勢の飲料容器に注出コックから飲料を注ぐ際には、注出コックから飛散したり飲料容器から溢れた飲料が背受部材からベース部材を伝って流下するため、飲料容器の背面に飲料が垂れ流れるのが防止される。ここで、背受部材はベース部材に着脱自在に係合して装着される構造とされているため、工具を使用することなく容易に脱着することができ、清掃などの保守作業が容易である。
【０００８】
また、第２の発明に係る飲料ディスペンサは、注出コックから飲料が注がれる飲料容器を傾斜姿勢に保持可能な容器載置台を備えた飲料ディスペンサであって、容器載置台は飲料容器の背面に沿うように上下方向に延設されて飲料容器の底受板を支持するベース部材を有し、このベース部材には飲料容器の背面上部が押し当てられる背受部材が付設され、この背受部材とベース部材との間にはベース部材の正面を覆うカバー部材が配設されており、前記背受部材の背面側には上下方向に延びるリブが前記カバー部材の挿入ガイドを兼用して突設されていることを特徴とする。
【０００９】
第２の発明に係る飲料ディスペンサでは、容器載置台に飲料容器を載置する際、飲料容器の背面上部を背受部材に押し当てることで飲料容器が前後方向に位置決めされるため、飲料容器を傾斜姿勢に保持する際には、飲料容器が安定した傾斜姿勢に保持される。そして、傾斜姿勢の飲料容器に注出コックから飲料を注ぐ際には、注出コックから飛散したり飲料容器から溢れた飲料が背受部材からカバー部材を伝って垂れ流れるため、飲料が飲料容器の背面に垂れ流れるのが防止される。ここで、カバー部材は背受部材の背面に突設された上下方向に延びるリブを挿入ガイドとして装着される構造とされているため、その装着作業が確実である。
【発明の効果】
【００１０】
第１の発明に係る飲料ディスペンサによれば、飲料容器の背面上部を背受部材に押し当てることで飲料容器を安定した傾斜姿勢に保持することができる。また、注出コックから飛散したり飲料容器から溢れた飲料を背受部材からベース部材を伝って流下させることができるため、飲料容器の背面を飲料が垂れ流れるのを防止することができる。そして、工具を使用することなく容易に背受部材を脱着することができるため、清掃などの保守が容易となる。
【００１１】
一方、第２の発明に係る飲料ディスペンサによれば、飲料容器の背面上部を背受部材に押し当てることで飲料容器を安定した傾斜姿勢に保持することができる。また、注出コックから飛散したり飲料容器から溢れた飲料を背受部材からカバー部材を伝って流下させることができるため、飲料容器の背面を飲料が垂れ流れるのを防止することができる。そして、背受部材の背面に突設された上下方向に延びるリブを挿入ガイドとしてカバー部材を確実に装着することができる。
【発明を実施するための最良の形態】
【００１２】
以下、図面を参照して本発明に係る飲料ディスペンサの実施の形態を説明する。参照する図面において、図１は一実施形態に係る飲料ディスペンサの全体構成を示す側面図、図２は図１に示した飲料ディスペンサの正面図である。
【００１３】
一実施形態に係る飲料ディスペンサは、いわゆるビールディスペンサとして構成されており、図示省略するが、炭酸ガスボンベにより加圧された飲料タンク内のビールが飲料供給管を介して圧送されるように構成されている。そして、この飲料ディスペンサは、圧送されたビールを冷却して注出コックから注ぎ出すように構成されている。
【００１４】
ここで、図１および図２に示すように、一実施形態の飲料ディスペンサには、図示しない冷却水槽などを有する冷却装置を内蔵した本体ボックス１の正面に２系統の飲料注出部２，２が左右の並べて配設されており、その下方には、飲料注出部２，２から滴下した飲料を回収するドレンパン３が突設されている。
【００１５】
各飲料注出部２は、図３および図４に示すように、最上部に配置された操作部４と、その直下に配置された注出コック５と、その下方に配置された容器載置台６と、その後方に配置された載置台傾動部７とを備えている。
【００１６】
注出コック５は、容器載置台６に載置されたジョッキＪに冷却されたビールを注ぐビールコック５Ａおよびビール泡を注ぐ泡コック５Ｂとを有する。ビールコック５Ａは、傾斜姿勢に支持されたジョッキＪ（図４参照）の背面側の内面に沿ってビールを斜め注ぎできるように配置され、泡コック５Ｂは、通常の縦向き姿勢に支持されたジョッキＪ（図３参照）の中央部にビール泡を注ぐようにビールコック５Ａの直前位置に配置されている。
【００１７】
載置台傾動部７は、容器載置台６を前後方向に傾動可能に支持する左右一対の支持アーム（右側のみ図示し、左側は図示省略する。）７Ａを上部に有し、その下方に容器載置台６を押し出すためのリンク機構７Ｂを有する（図４参照）。そして、この載置台傾動部７には、リンク機構７Ｂを介して容器載置台６を押し出すためのサーボモータまたは電磁プランジャからなる駆動装置（図示省略）が内蔵されている。
【００１８】
操作部４には、ビールコック５Ａおよび泡コック５Ｂを開閉操作するためのサーボモータまたは電磁プランジャからなる駆動装置（図示省略）が内蔵されている。そして、この操作部４の前面には、複数の操作ボタンを有する操作パネル４Ａが配置されており、その操作ボタンの操作に応じてビールコック５Ａおよび泡コック５Ｂの開閉が制御され、また、容器載置台６の傾動が制御されるようになっている。
【００１９】
ここで、容器載置台６は、図５〜図７に示すように、ステンレス鋼板を折り曲げ加工してなる縦長のベース部材６Ａと、このベース部材６Ａの下部に上下２段に装着された上部底受部６Ｂおよび下部底受部６Ｃと、ベース部材６Ａの上部に着脱自在に装着される背受部材６Ｄと、ベース部材６Ａの正面を覆うステンレス鋼板製のカバー部材６Ｅとを備えて構成されている。
【００２０】
ベース部材６Ａの上部には前方にＬ字状に屈曲する左右一対の支持片６Ａ１，６Ａ１が形成され、各支持片６Ａ１には、図３に示した載置台傾動部７の支持アーム７Ａに上方から係合して枢支される枢支ピン６Ａ２がそれぞれ装着されている。また、ベース部材６Ａの上端中央部には、図７に示すようにカバー部材６Ｅの背面上部に突設された係合フック６Ｅ１を左右方向に位置決めして係止する切欠部６Ａ３が形成されている。
【００２１】
図６に示すように、上部底受部６Ｂは、例えば中型のジョッキＪの底を受ける底受板６Ｂ１と、この底受板６Ｂ１上に載置されたジョッキＪの左右の側面下部を係止する左右のサイドストッパ６Ｂ２，６Ｂ２と、ジョッキＪの背面下部を係止するバックストッパ６Ｂ３と、これらのサイドストッパ６Ｂ２，６Ｂ２およびバックストッパ６Ｂ３と共に底受板６Ｂ１を支持する支持ブラケット６Ｂ４とを有する。この支持ブラケット６Ｂ４は、サイドストッパ６Ｂ２，６Ｂ２およびバックストッパ６Ｂ３と共に底受板６Ｂ１を水平に張り出す位置から上方に傾動して起立できるように支持しており、ベース部材６Ａに対して上下方向に位置調節自在にねじ止めされている。
【００２２】
同様に、下部底受部６Ｃは、例えば大型のジョッキＪの底を受ける底受板６Ｃ１と、この底受板６Ｃ１上に載置されたジョッキＪの左右の側面下部を係止する左右のサイドストッパ６Ｃ２，６Ｃ２と、ジョッキＪの背面下部を係止するバックストッパ６Ｃ３と、これらのサイドストッパ６Ｃ２，６Ｃ２およびバックストッパ６Ｃ３と共に底受板６Ｃ１を支持する支持ブラケット６Ｃ４とを有する。この支持ブラケット６Ｃ４は、サイドストッパ６Ｃ２，６Ｃ２およびバックストッパ６Ｃ３と共に底受板６Ｃ１を水平に張り出す位置から上方に傾動して起立できるように支持しており、ベース部材６Ａに対して上下方向に位置調節自在にねじ止めされている。
【００２３】
このような上部底受部６Ｂの支持ブラケット６Ｂ４および下部底受部６Ｃの支持ブラケット６Ｃ４をそれぞれ上下方向に位置調節自在にねじ止めするため、ベース部材６Ａの左右両側部には複数のねじ挿通孔６Ａ４が上下方向に所定ピッチで形成されている（図７参照）。
【００２４】
ここで、ベース部材６Ａの上部に装着される背受部材６Ｄは、図３に示すように上部底受部６Ｂの底受板６Ｂ１に載置されたジョッキＪの背面上部が押し当てられることで、ジョッキＪを前後方向に位置決めする部材である。この背受部材６Ｄには、ジョッキＪの背面上部に沿うように湾曲した背受板部６Ｄ１と、その左右両端部に位置するブロック状の装着部６Ｄ２とが弾力のある合成樹脂により一体成形されている（図８参照）。
【００２５】
一方、背受部材６Ｄをベース部材６Ａの上部に着脱自在に装着するための構造として、ベース部材６Ａの上部には、図９に示すように、前方にＬ字状に屈曲する左右一対の支持片６Ａ１，６Ａ１の基端部に縦長の切欠き窓６Ａ５，６Ａ５が形成されている。この切欠き窓６Ａ５，６Ａ５は、支持片６Ａ１，６Ａ１の基端部の角部に跨って形成されている。
【００２６】
これに対応して、図８に示すように、背受部材６Ｄの左右の装着部６Ｄ２には、ベース部材６Ａの支持片６Ａ１を受け入れる凹部６Ｄ３と、ベース部材６Ａの切欠き窓６Ａ５に挿入される弾性舌片６Ｄ４とが一体成形されている。そして、この弾性舌片６Ｄ４の先端部外面には、挿入ガイド用のテーパ面６Ｄ５に連続して抜止め用の段部６Ｄ６が一体成形されている。
【００２７】
また、背受部材６Ｄの背受板部６Ｄ１の正面上部には、左右方向に延びる突状または溝状のガイドライン６Ｄ７が形成されている。このガイドライン６Ｄ７は、例えば上部底受部６Ｂに載置可能なジョッキＪの高さの目安となるものであり、また、背受部材６Ｄをベース部材６Ａに装着する際にその上下の向きの目安となるものである。
【００２８】
ここで、ベース部材６Ａの正面を覆うカバー部材６Ｅは、ベース部材６Ａと背受部材６Ｄとの間に上方から挿入される部材であり（図５、図１０参照）、前述したように背面上部に突設された係合フック６Ｅ１がベース部材６Ａの上端中央部に形成された切欠部６Ａ３に係止されて着脱自在に装着される（図７参照）。このベース部材６Ａの挿入をガイドするように、背受部材６Ｄの背受板部６Ｄ１の背面側には、上端部が傾斜して上下方向に延びる左右一対のリブ６Ｄ８，６Ｄ８が突設されている。
【００２９】
以上のように構成された一実施形態の飲料ディスペンサにおいては、図３に示すようにジョッキＪを上部底受部６Ｂの左右のサイドストッパ６Ｂ２，６Ｂ２の間の底受板６Ｂ１上に置き、ジョッキＪの背面上部を背受部材６Ｄに押し当てることでジョッキＪが前後方向に位置決めされる。その際、背受部材６Ｄの正面に形成されたガイドライン６Ｄ７が底受板６Ｂ１上に載置できるジョッキＪの高さの目安となるため、安全である。
【００３０】
そして、操作部４の操作パネル４Ａ上の操作ボタンにより操作を開始すると、図４に示すように載置台傾動部７のリンク機構７Ｂが押し出されて容器載置台６が所定角度まで傾動される。その際、ジョッキＪはその背面上部が背受部材６Ｄに支持されることで安定した傾斜姿勢に保持される。
【００３１】
続いて、傾斜姿勢に保持されたジョッキＪの背面側の内面に沿って注出コック５のビールコック５ＡからジョッキＪの容量に対応した所定量のビールが泡立たないように斜め注ぎされる。その際、ビールコック５Ａから飛散したりジョッキＪから溢れたビールは、背受部材６Ｄからその背面側の左右一対のリブ６Ｄ８，６Ｄ８に整流されつつカバー部材６Ｅに沿って流下するため、ジョッキＪの背面にビールが垂れ流れるのが防止される。
【００３２】
ジョッキＪに所定量のビールが注がれると、載置台傾動部７のリンク機構７Ｂが引き込まれて容器載置台６が図３に示す定常位置に復帰し、続いて注出コック５の泡コック５ＢからジョッキＪにビール泡が注がれる。
【００３３】
このような一実施形態の飲料ディスペンサにおいて、容器載置台６の背受部材６Ｄは、図１１に示す左右一対の弾性舌片６Ｄ４をベース部材６Ａの切欠き窓６Ａ５，６Ａ５（図９参照）に挿入することでベース部材６Ａに装着でき、また、切欠き窓６Ａ５，６Ａ５から突出する左右一対の弾性舌片６Ｄ４を内側に弾性変形させることでベース部材６Ａから容易に取り外すことができる。すなわち、背受部材６Ｄは、ベース部材６Ａに対して工具を使用することなく容易に脱着することができるため、清掃などの保守作業が容易である。
【００３４】
そして、このような背受部材６Ｄは、左右一対のリブ６Ｄ８，６Ｄ８によって補剛されているため、ジョッキＪの背面上部が背受板部６Ｄ１に強く押し当てられても、背受板部６Ｄ１が不用意に撓んで背受部材６Ｄがベース部材６Ａから外れたりすることがない。また、ジョッキＪの背面上部が背受板部６Ｄ１に繰り返し押し当てられても、背受板部６Ｄ１が不用意に破損することがなく、長期に亘って確実に機能する。
【００３５】
また、一実施形態の飲料ディスペンサにおいて、容器載置台６のカバー部材６Ｅは、ベース部材６Ａと背受部材６Ｄとの間に挿入して係合フック６Ｅ１をベース部材６Ａの切欠部６Ａ３に係止することにより、ベース部材６Ａに対し工具を使用することなく容易に脱着することができるため、清掃などの保守作業が容易である。
【００３６】
このカバー部材６Ｅは、ベース部材６Ａに装着する際に、背受部材６Ｄの背面に突設された左右一対のリブ６Ｄ８，６Ｄ８を挿入ガイドとしてベース部材６Ａと背受部材６Ｄとの間に確実に挿入することができるため、その装着作業が容易である。そして、このようにベース部材６Ａに装着されたカバー部材６Ｅは、背受部材６Ｄのリブ６Ｄ８，６Ｄ８によってガタ付きが防止され、振動によるビビリ音が防止される。
【００３７】
本発明に係る飲料ディスペンサは、前述した一実施形態に限定されるものではない。例えば、ビールに類似の発泡酒用のディスペンサとして構成することもできる。
【図面の簡単な説明】
【００３８】
【図１】本発明の一実施形態に係る飲料ディスペンサの全体構成を示す側面図である。
【図２】図１に示した飲料ディスペンサの正面図である。
【図３】図２に示した飲料注出部の構造を示す斜視図である。
【図４】図３に示した飲料注出部の容器載置台が傾動した状態を示す斜視図である。
【図５】図３に示した容器載置台の構造を示す分解斜視図である。
【図６】図５に示した容器載置台の組立状態を示す正面側斜視図である。
【図７】図６に示した容器載置台の背面側斜視図である。
【図８】図５に示した背受部材の正面側拡大斜視図である。
【図９】図５に示したベース部材の上部の拡大斜視図である。
【図１０】図７に示した容器載置台の平面図である。
【図１１】図８に示した背受部材の背面側斜視図である。
【符号の説明】
【００３９】
１    本体ボックス
２    飲料注出部
３    ドレンパン
４    操作部
５    注出コック
５Ａ  ビールコック
５Ｂ  泡コック
６    容器載置台
６Ａ  ベース部材
６Ｂ  上部底受部
６Ｂ１底受板
６Ｃ  下部底受部
６Ｃ１底受板
６Ｄ  背受部材
６Ｄ８リブ
６Ｅ  カバー部材
７    載置台傾動部
７Ａ  支持アーム
７Ｂ  リンク機構
Ｊ    ジョッキ（飲料容器）
【図１】
2006036229.tif 000003
【図２】
2006036229.tif 000004
【図３】
2006036229.tif 000005
【図４】
2006036229.tif 000006
【図５】
2006036229.tif 000007
【図６】
2006036229.tif 000008
【図７】
2006036229.tif 000009
【図８】
2006036229.tif 000010
【図９】
2006036229.tif 000011
【図１０】
2006036229.tif 000012
【図１１】
2006036229.tif 000013